【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
前端部、後端部、左側部、右側部、底面部、上面部、及びラッチ機構を有した、プラグ本体であって、ジャックの概して円筒形の形状の第１及び第２の光学ポートをそれぞれ受容するために、該前端部は、該前端部の中に形成された第１及び第２の概して円筒形の形状の開口部を有していることからなる、プラグ本体と、
前記プラグ本体内において配置されたキャリアであって、該キャリアは、前端部、後端部、右側部、左側部、及び内部下面を有しており、該キャリアの前端部及び後端部は、前記プラグ本体の前端部、後端部に、それぞれ面しており、該キャリアは、該キャリアの前端部と後端部との間にある位置において、その内部下面上に配置された複数の圧接部（ＩＤＣｓ）を有しており、該ＩＤＣｓは、該内部下面を通じて部分的に延在し、該キャリアは、その前端部に配置された複数の電気接点を有しており、該複数の電気接点は、複数の各導体によって各ＩＤＣｓに接続されており、及び、該キャリアが、該プラグ本体内に固定される時には、該キャリアの該複数の電気接点は、前記プラグ本体の前端部に付近に位置付けられることからなる、キャリアと、
前記キャリアに機械的に結合されるオルガナイザであって、該オルガナイザは、前記キャリアの前端部に面した前端部と、前記キャリアの後端部に面した後端部とを有しており、該オルガナイザは、各導体の各端部を受容するために、該オルガナイザの後端部から該オルガナイザの前端部まで延在する複数のスルーホールを有しており、該オルガナイザは、各光ファイバの各端部を受容するために該オルガナイザの後端部から該オルガナイザの前端部へと延在する少なくとも第１及び第２の長手スロットを有しており、及び、各ＩＤＣｓは、該オルガナイザを通じて、該スルーホールの各々の中へと部分的に延在することからなる、オルガナイザと、
前記キャリアの内部下面上に配置された第１及び第２の光学ポートであって、前記プラグ本体の前端部に形成された前記第１及び第２の概して円筒形の形状の開口部内へと延在する前端部と、前記オルガナイザの前記第１及び第２の長手スロットの各前方開口部に嵌合する後端部とを有する、第１及び第２の光学ポート
とを備える、ハイブリッドＲＪ−４５プラグ。
【請求項２】
第１及び第２の圧縮バネであって、該第１及び第２の圧縮バネ内において、それぞれ、前記第１及び第２の光学ポートが配置されており、該第１及び第２の圧縮バネは、前記第１及び第２の光学ポートの外側面上に配置された各フランジにそれぞれ隣接する前端部を有しており、該第１及び第２の圧縮バネは、前記オルガナイザの前記第１及び第２の長手スロットの前記前方開口部に隣接する後端部を有していることからなる、第１及び第２の圧縮バネ
を更に備える、請求項１に記載のハイブリッドＲＪ−４５プラグ。
【請求項３】
前記プラグ本体がハイブリッドＲＪ−４５ジャックに嵌合される場合には、前記ジャックの第１及び第２の概して円筒形の形状の光学ポートが、前記プラグ本体の前記前端部内に形成された前記第１及び第２の概して円筒形の形状の開口部内において受容され、それにより、前記ジャックの前記第１及び第２の概して円筒形の形状の光学ポートの各前端部が、ハイブリッドＲＪ−４５プラグの第１及び第２の光学ポートの各前端部にそれぞれ隣接することとなり、それにより、前記プラグの前記第１及び第２の光学ポートが、概して、前記プラグの第１及び第２の光学ポートの軸方向に、前記プラグ本体の前端部から離れて及び前記プラグ本体の後端部に向かって、動かされることとなり、及び、
前記プラグの前記第１及び第２の光学ポートの前記動きによって、前記第１及び第２の圧縮バネが圧縮させられて、前記プラグの前記第１及び第２の光学ポートのフランジに力が、前記プラグの第１及び第２の光学ポートの動きの前記概して軸方向とは概して反対である方向に、及ぼされることからなる、請求項２に記載のハイブリッドＲＪ−４５プラグ。
【請求項４】
前記キャリアの前記右側部及び左側部の各内面上にそれぞれ形成された第１及び第２のガイドと、
前記オルガナイザの前記右側部及び左側部の各内面上にそれぞれ形成された第１及び第２のスロットであって、該第１及び第２のスロットは、前記第１及び第２のガイドにそれぞれ嵌合されて、それにより、前記オルガナイザが前記キャリアに機械的に結合されることからなる、第１及び第２のスロット
とを更に備える、請求項１〜３の何れか一項に記載のハイブリッドＲＪ−４５プラグ。
【請求項５】
前記プラグ本体の前記右側部及び左側部内にそれぞれ形成された第１及び第２のスロットと、
前記キャリアの右側部及び左側部の各外側面上にそれぞれ形成された第１及び第２のロッキングタブ
とを更に備え、
前記プラグ本体の前記右側部及び左側部内に形成された前記第１及び第２のスロットが、前記第１及び第２のガイドにそれぞれ嵌合され、それにより、前記キャリアが前記プラグ本体に固定されることとなることからなる、請求項１〜４の何れか一項に記載のハイブリッドＲＪ−４５プラグ。
【請求項６】
前記キャリアの前記内部下面内に形成された第１及び第２のクレードルであって、前記前記プラグの第１及び第２の光学ポートが、該第１及び第２のクレードル内に少なくとも部分的にそれぞれ配置されていることからなる、第１及び第２のクレードル
を更に備える、請求項１〜５の何れか一項に記載のハイブリッドＲＪ−４５プラグ。
【請求項７】
前記キャリアの前端部よりも前記キャリアの後端部により近い位置において、前記キャリアの前記内部下面上に前記ＩＤＣｓが配置されることからなる、請求項１〜６の何れか一項に記載のハイブリッドＲＪ−４５プラグ。
【請求項８】
前記プラグは、電気的な通信機能を有するが光学的な通信機能を有していない既存の標準ＲＪ−４５ジャックと下位互換性がある、請求項１〜７の何れか一項に記載のハイブリッドＲＪ−４５プラグ。
【請求項９】
前記プラグは、電気的及び光学的な通信機能を有するハイブリッドＲＪ−４５ジャックと互換性がある、請求項８に記載のハイブリッドＲＪ−４５プラグ。
【請求項１０】
モジュラコネクタアセンブリであって、
プラグを受容するためにジャックの中に形成された開口部を有する該ジャックであって、該開口部内において配置された概して円筒形の形状の第１及び第２の光学ポートを有する、該ジャックと、
前記ジャックの前記開口部内において配置されるハイブリッドＲＪ−４５プラグであって、前記ジャックと嵌合されるハイブリッドＲＪ−４５プラグ
とを備え、
前記ハイブリッドＲＪ−４５プラグが、
前端部、後端部、左側部、右側部、底面部、上面部、及びラッチ機構を有した、プラグ本体であって、ジャックにおける概して円筒形の形状の第１及び第２の光学ポートをそれぞれ受容するために、該前端部は、該前端部の中に形成された第１及び第２の概して円筒形の形状の開口部を有していることからなる、プラグ本体と、
前記プラグ本体内において配置されたキャリアであって、該キャリアは、前端部、後端部、右側部、左側部、及び内部下面を有しており、該キャリアの前端部及び後端部は、前記プラグ本体の前端部、後端部に、それぞれ面しており、該キャリアは、該キャリアの前端部と後端部との間にある位置において、その内部下面上に配置された複数の圧接部（ＩＤＣｓ）を有しており、該ＩＤＣｓは、該内部下面を通じて部分的に延在し、該キャリアは、その前端部に配置された複数の電気接点を有しており、該複数の電気接点は、複数の各導体によって各ＩＤＣｓに接続されており、及び、該キャリアが、該プラグ本体内に固定される時には、該キャリアの該複数の電気接点は、前記プラグ本体の前端部に付近に位置付けられることからなる、キャリアと、
前記キャリアに機械的に結合されるオルガナイザであって、該オルガナイザは、前記キャリアの前端部に面した前端部と、前記キャリアの後端部に面した後端部とを有しており、該オルガナイザは、各導体の各端部を受容するために、該オルガナイザの後端部から該オルガナイザの前端部まで延在する複数のスルーホールを有しており、該オルガナイザは、各光ファイバの各端部を受容するために該オルガナイザの後端部から該オルガナイザの前端部へと延在する少なくとも第１及び第２の長手スロットを有しており、及び、各ＩＤＣｓは、該オルガナイザを通じて、該スルーホールの各々の中へと部分的に延在することからなる、オルガナイザと、
前記キャリアの内部下面上に配置された第１及び第２の光学ポートであって、前記プラグ本体の前端部に形成された前記第１及び第２の概して円筒形の形状の開口部内へと延在する前端部と、前記オルガナイザの前記第１及び第２の長手スロットの各前方開口部に嵌合する後端部とを有する、第１及び第２の光学ポート
とを含むことからなる、モジュラコネクタアセンブリ。
【請求項１１】
前記ハイブリッドＲＪ−４５プラグが、
第１及び第２の圧縮バネであって、該第１及び第２の圧縮バネ内において、それぞれ、前記第１及び第２の光学ポートが配置されており、該第１及び第２の圧縮バネは、前記第１及び第２の光学ポートの外側面上に配置された各フランジにそれぞれ隣接する前端部を有しており、該第１及び第２の圧縮バネは、前記オルガナイザの前記第１及び第２の長手スロットの前記前方開口部に隣接する後端部を有していることからなる、第１及び第２の圧縮バネ
を更に含むことからなる、請求項１０に記載のモジュラコネクタアセンブリ。
【請求項１２】
前記ジャックの前記第１及び第２の概して円筒形の形状の光学ポートの各前端部が、ハイブリッドＲＪ−４５プラグの第１及び第２の光学ポートの各前端部にそれぞれ隣接することとなり、それにより、前記プラグの前記第１及び第２の光学ポートが、概して、前記プラグの第１及び第２の光学ポートの軸方向に、前記プラグ本体の前端部から離れて及び前記プラグ本体の後端部に向かって、動かされることとなり、及び、
前記プラグの前記第１及び第２の光学ポートの前記動きによって、前記第１及び第２の圧縮バネが圧縮させられて、前記プラグの前記第１及び第２の光学ポートのフランジに力が、前記プラグの第１及び第２の光学ポートの動きの前記概して軸方向とは概して反対である方向に、及ぼされることからなる、請求項１１に記載のモジュラコネクタアセンブリ。
【請求項１３】
前記ハイブリッドＲＪ−４５プラグが、
前記キャリアの前記右側部及び左側部の各内面上にそれぞれ形成された第１及び第２のガイドと、
前記オルガナイザの前記右側部及び左側部の各内面上にそれぞれ形成された第１及び第２のスロットであって、該第１及び第２のスロットは、前記第１及び第２のガイドにそれぞれ嵌合されて、それにより、前記オルガナイザが前記キャリアに機械的に結合されることからなる、第１及び第２のスロット
とを更に含むことからなる、請求項１０〜１２の何れか一項に記載のモジュラコネクタアセンブリ。
【請求項１４】
前記ハイブリッドＲＪ−４５プラグが、
前記プラグ本体の前記右側部及び左側部内にそれぞれ形成された第１及び第２のスロットと、
前記キャリアの右側部及び左側部の各外側面上にそれぞれ形成された第１及び第２のロッキングタブ
とを更に含み、
前記プラグ本体の前記右側部及び左側部内に形成された前記第１及び第２のスロットが、前記第１及び第２のガイドにそれぞれ嵌合され、それにより、前記キャリアが前記プラグ本体に固定されることとなることからなる、請求項１０〜１３の何れか一項に記載のモジュラコネクタアセンブリ。
【請求項１５】
前記ハイブリッドＲＪ−４５プラグが、
前記キャリアの前記内部下面内に形成された第１及び第２のクレードルであって、前記前記プラグの第１及び第２の光学ポートが、該第１及び第２のクレードル内に少なくとも部分的にそれぞれ配置されていることからなる、第１及び第２のクレードル
を更に含むことからなる、請求項１０〜１４の何れか一項に記載のモジュラコネクタアセンブリ。
【請求項１６】
前記キャリアの前端部よりも前記キャリアの後端部により近い位置において、前記キャリアの前記内部下面上に前記ＩＤＣｓが配置されることからなる、請求項１０〜５の何れか一項に記載のモジュラコネクタアセンブリ。
【請求項１７】
前記ジャックは、第１の位置か又は第２の位置のいずれかにおいて前記プラグのラッチ機構を嵌合させるためのラッチング機構を該ジャック上に有しており、
嵌合の前記第１の位置において、前記ジャック及び前記プラグは、光学的な通信機能ではなく、電気的な通信機能を有し、及び、
嵌合の前記第２の位置において、前記ジャック及び前記プラグは、電気的及び光学的な通信機能を有することからなる、請求項１０〜１６の何れか一項に記載のモジュラコネクタアセンブリ。
【請求項１８】
ハイブリッドＲＪ−４５プラグを組み立てるための方法であって、
前端部、後端部、左側部、右側部、底面部、上面部、及びラッチ機構を有したプラグ本体を提供し、ここで、該前端部は、該前端部内に形成された第１及び第２の概して円筒形の形状の開口部を有しており、
前端部、後端部、右側部、左側部、及び内部下面を有したキャリアを提供し、ここで、該キャリアは、該キャリアの前端部と後端部との間にある位置において、その内部下面上に配置された複数の圧接部（ＩＤＣｓ）を有しており、該ＩＤＣｓは、該内部下面を通じて部分的に延在し、該キャリアは、その前端部に配置された複数の電気接点を有しており、該複数の電気接点は、複数の各導体によって各ＩＤＣｓに接続されており、
オルガナイザの後端部から少なくとも部分的に該オルガナイザを通じて該オルガナイザの前端部へと向かう方向に延在する複数のスルーホールを有した該オルガナイザを提供し、ここで、該オルガナイザは、該オルガナイザの後端部から該オルガナイザの前端部へと延在する少なくとも第１及び第２の長手スロットを有しており、前記各ＩＤＣｓは、該オルガナイザを通じて、前記スルーホールの各々の中へと部分的に延在しており、
複数の導体のそれぞれの端部部分を、前記スルーホールの中に配置し、
前記オルガナイザを前記キャリアに機械的に結合させ、ここで、前記オルガナイザを前記キャリアに機械的に結合することによって、前記ＩＤＣｓが、前記スルーホールの各々の中に配置された前記導体のそれぞれの絶縁ジャケットを貫通するようにさせられ、
前記キャリアの内部下面上に第１及び第２の光学ポートを配置し、それにより、該第１及び第２の光学ポートの前端部が、前記プラグ本体の前端部に形成された前記第１及び第２の概して円筒形の形状の開口部内へと延在するようにし、及び、該第１及び第２の光学ポートの後端部が、前記オルガナイザの前記第１及び第２の長手スロットの各前方開口部に嵌合するようにし、ここで、該第１及び第２の光学ポートは、その中に固定される第１及び第２の光ファイバのそれぞれの端部を有しており、及び、該第１及び第２の光ファイバのそれぞれの部分が、前記第１及び第２の長手スロット内にそれぞれ配置され、及び、
前記キャリアを前記プラグ本体に機械的に結合させ、それにより、前記キャリア及び前記オルガナイザが、前記プラグ本体内に形成された開口部内において配置されるようにする
ことを含む、方法。
【請求項１９】
ハイブリッドＲＪ−４５プラグが、
前記キャリアの前記右側部及び左側部の各内面上にそれぞれ形成された第１及び第２のガイドと、
前記オルガナイザの前記右側部及び左側部の各内面上にそれぞれ形成された第１及び第２のスロット
とを更に含み、
前記第１及び第２のスロットを、それぞれ、前記第１及び第２のガイドに嵌合することによって、前記オルガナイザは前記キャリアに機械的に結合されることからなる、請求項１８に記載の方法。
【請求項２０】
ハイブリッドＲＪ−４５プラグが、
前記プラグ本体の前記右側部及び左側部内にそれぞれ形成された第１及び第２のスロットと、
前記キャリアの右側部及び左側部の各外側面上にそれぞれ形成された第１及び第２のロッキングタブ
とを更に含み、
前記第１及び第２のロッキングタブを、前記プラグ本体内に形成された前記第１及び第２のスロットにそれぞれ嵌合することによって、前記キャリアは前記プラグ本体に機械的に結合されることからなる、請求項１８又は請求項２０に記載の方法。